(57)【要約】【目的】天板上での作業中に作業者の足の感触で妻側端部であることを認識させるようにし、もって作業上の安全を確保できる作業台を提供する。【解決手段】上面に作業床面２を有する天板１と、この天板１の妻側端に設けられた支持脚３とからなる作業台において、天板１の作業床面２にはその妻側端部に、作業者に足の感触で妻側端部であることを認識させるための凸条部４Ａを設ける。【選択図】　　　　図３
2004019295.tif 000002
【特許請求の範囲】
【請求項１】
上面に作業床面を有する天板と、この天板の妻側端に設けられた支持脚とからなる作業台において、天板の作業床面にはその妻側端部に、作業者に足の感触で妻側端部であることを認識させるための凸条部を設けてなる作業台。
【請求項２】
上面に作業床面を有する天板と、この天板の妻側端に設けられた支持脚とからなる作業台において、天板の作業床面にはその妻側端部及び桁側端部に、作業者に足の感触で妻側端部及び桁側端部であることを夫々認識させるための凸条部を設けてなる作業台。
【請求項３】
凸条部は、天板と一体に形成されたものからなる請求項１又は２に記載の作業台。
【請求項４】
凸条部は、天板と別体に形成され、天板の所要部に取り付けられたものからなる請求項１又は２に記載の作業台。
【請求項５】
凸条部は、帯板状の凸条本体と、この凸条本体の下側に一体形成された断面略倒Ｔ字状の取付基部とからなるゴム状弾性体で、その取付基部が、天板の所要部に一体に形成された断面略倒Ｔ字状の取付溝に嵌合されて取り付けられている請求項１又は２に記載の作業台。
【発明の詳細な説明】
【０００１】
【発明の属する技術分野】
本発明は、上面に作業床面を有する天板と、この天板の妻側端に設けられた支持脚とからなる作業台に関するものである。
【０００２】
【従来の技術及びその課題】
作業者が天板の上に乗って各種作業を行う場合、作業者は、天板から足を踏み外さないよう足元の位置を確認しながら作業をしなくてはいけないと思いつつも実際の作業では天板位置、特に妻側端部の確認が難しく、その妻側端部からの足の踏み外し現象が発生し易い状況にある。
【０００３】
本発明は、上記の課題に鑑み、天板上での作業中に作業者の足の感触で妻側端部であることを認識させるようにし、もって作業上の安全を確保できる作業台を提供することを目的とする。
【０００４】
【課題を解決するための手段】
請求項１に係る発明は、上面に作業床面２を有する天板１と、この天板１の妻側端に設けられた支持脚３，３とからなる作業台において、天板１の作業床面２にはその妻側端部に、作業者に足の感触で妻側端部であることを認識させるための凸条部４Ａを設けてなることを特徴とする。
【０００５】
請求項２に係る発明は、上面に作業床面２を有する天板１と、この天板１の妻側端に設けられた支持脚３，３とからなる作業台において、天板１の作業床面２にはその妻側端部及び桁側端部に、作業者に足の感触で妻側端部及び桁側端部であることを夫々認識させるための凸条部４Ａ，４Ｂを設けてなることを特徴している。
【０００６】
請求項３は、請求項１又は２に記載の作業台において、凸条部４Ａ，４Ｂは、天板１と一体に形成されたものからなることを特徴とする。
【０００７】
請求項４は、請求項１又は２に記載の作業台において、凸条部４Ａ，４Ｂは、天板１と別体に形成され、天板１の所要部に取り付けられたものからなることを特徴とする。
【０００８】
請求項５は、請求項１又は２に記載の作業台において、凸条部４Ａ，４Ｂは、帯板状の凸条本体９と、この凸条本体９の下側に一体形成された断面略倒Ｔ字状の取付基部１０とからなるゴム状弾性体で、その取付基部１０が、天板１の所要部に一体に形成された断面略倒Ｔ字状の取付溝１１に嵌合されて取り付けられていることを特徴とする。
【０００９】
【発明の実施の形態】
図１の（Ａ）は本発明に係る作業台の平面図、（Ｂ）は正面図、（Ｃ）は側面図である。これらの図に示すように、この作業台は、上面に横長矩形状の作業床面２を有する天板１と、この天板１の妻側端に夫々設けられた支持脚３，３と、から構成され、そして天板１の作業床面２にはその妻側端部に、作業者に足の感触で妻側端部であることを認識させるための凸条部４Ａが設けられている。
【００１０】
両支持脚３，３は、夫々の上端部が天板１の左右端である妻側端に回転連結金具５，５により連結されて、図１の（Ｂ）に示すように下広がり状態に傾斜して起立した開脚姿勢と、図示は省略するが天板１の下面に略平行に沿うように折り畳んだ閉脚姿勢との間で開閉可能となっている。各支持脚３は、下広がり状に配置される両側一対の脚柱６，６と、両脚柱６，６間に複数段に取り付けられる踏桟７とからなる。なお、各脚柱６は、図１の（Ａ）〜（Ｃ）に示すように、下端に脚端具６ａを取り付けた伸縮脚６ｂによって伸縮可能に構成されている。
【００１１】
また図１（Ａ）〜（Ｃ）に示すように、天板１下面の妻側端部寄り位置と各支持脚３の最上段の踏桟７との間には、折り畳み可能な開き止め金具８が介装されている。
【００１２】
天板１は、図３及び図４に示すように、アルミニウム合金の押し出し型材からなる天板本体１ａと、これと同様な押し出し型材からなり、天板本体１ａの左右端部である妻側端部に外嵌して固定される端部取付材１ｂとによって構成され、そして天板本体１ａの上面が作業床面２とされる。なお、天板本体１ａの桁側端部は、図６に示すように断面内向きコ字状に形成されており、この断面コ字状部分を図中に１３で示す。
【００１３】
このように天板本体１ａの妻側端部に取り付けられた端部取付材１ｂの上端部に凸条部４Ａが設けられている。即ち、この凸条部４Ａは、図４に示すように、帯板状の凸条本体９と、この凸条本体９の下側に一体形成された断面略倒Ｔ字状の取付基部１０とからなるゴム状弾性体であって、その取付基部１０が、端部取付材１ｂの上端部に一体形成された断面略倒Ｔ字状の取付溝１１に嵌合されて取り付けられている。凸条本体９の上面には長手方向に延びる滑り止め用の凹溝１２が複数条設されている。
【００１４】
上記ゴム状弾性体よりなる凸条部４Ａの取付けにあたっては、この凸条部４Ａの取付基部１０を、端部取付材１ｂの断面略倒Ｔ字状取付溝１１に対しその一端側から挿入嵌合してスライドさせることにより、簡単に取り付けることができる。また、端部取付材１ｂの両端部には、図３に示すように回転連結金具５が取り付けられるから、凸条部４Ａの取付基部１０を端部取付材１ｂの取付溝１１に嵌合させるだけで、ビス等によって固定させる必要がなく、凸条部４Ａの取付けが一層簡単となる。
【００１５】
このように、作業床面２の妻側端部に凸条部４Ａを条設した天板１を有する作業台によれば、天板１上での作業中に、作業者の足裏が凸条部４Ａに当たると、その足裏の感触によって、作業床面２における足の位置が妻側端部にあることを作業者自身が認識できるから、その妻側端部から足を踏み外すことがなくなり、作業の安全を確保することができる。
【００１６】
この場合、凸条部４Ａがゴム状弾性体からなるため、このゴム状弾性体の滑り止め作用によって、作業者の足が凸条部４Ａに乗っても滑り難く、安全である。また、凸条本体９の上面に長手方向に延びる滑り止め用の凹溝１２が条設されているから、滑り止め効果が有効に発揮される。
【００１７】
図５は、作業床面２の妻側端部に凸条部４Ａを設けると共に、桁側端部にも、妻側端部と同様な凸条部４Ｂを設けた天板１を示す概略平面図である。この作業床面２の桁側端部の凸条部４Ｂは、図６に示すように、妻側端部の凸条部４Ａと同様な構成である。即ち、この凸条部４Ｂは、帯板状の凸条本体９と、この凸条本体９の下側に一体形成された断面略倒Ｔ字状の取付基部１０とからなるゴム状弾性体で、その取付基部１０が、天板本体１ａの桁側端部に一体形成された断面略倒Ｔ字状の取付溝１１に嵌合されて取り付けられており、凸条本体９の上面には滑り止め用の凹溝１２が条設されている。
【００１８】
この凸条部４Ｂの取付けについても、妻側端部の凸条部４Ａと同様であって、この凸条部４Ｂの取付基部１０を取付溝１１に対しその一端側から挿入嵌合してスライドさせればよい。また、天板本体１ａの両端部には、端部取付材１ｂが取り付けられるから、凸条部４Ｂの取付基部１０を取付溝１１に嵌合するだけで、ビス等により固定させる必要がなく、簡単に取付けることができる。
【００１９】
このように、天板１の作業床面２の妻側端部にも凸条部４Ｂを設けたことによって、天板１上での作業中に、作業者の足裏が凸条部４Ｂに当たれば、その足裏の感触により、足の位置が桁側端部にあることを作業者自身が認識できるから、その桁側端部から足を踏み外すことがなくなり、より一層の作業の安全が確保される。
【００２０】
以上説明した実施形態では、凸条部４Ａ，４Ｂが天板１と別体に形成されて、作業床面２の所要部に取り付けられたものからなる場合で、しかもゴム状弾性体からなる場合であるが、凸条部４Ａ，４Ｂは、ゴム状弾性体に限らず、合成樹脂材、木材、アルミニウム等金属材でもよいし、また天板１と一体に形成されたもの、例えば天板１を形成するアルミニウム押し出し型材の一部を成すような凸条部であってもよい。
【００２１】
天板１と一体に形成される凸条部４Ａ，４Ｂの場合には、凸条部４Ａ，４Ｂの取付作業が不要になるため、製作的には容易となる。また、ゴム状弾性体からなる凸条部４Ａ，４Ｂの場合は、作業者が凸条部４Ａ，４Ｂに足を引っ掛けても、足指を傷めるようなことがない。
【００２２】
また、凸条部４Ａ，４Ｂがゴム状弾性体からなる場合に、その横断面形状を矩形状にして、その底面を接着剤によって、作業床面２の妻側端部及び桁側端部に接着するようにしてもよい。但し、この実施形態のように、凸条部４Ａ，４Ｂを、凸条本体９と断面略倒Ｔ字状の取付基部１０とからなるものとして、その取付基部１０を、天板１に設けた断面略倒Ｔ字状の取付溝１１に嵌合して取り付けるようにすれば、取付作業が簡単容易であると共に、一旦取り付けると、容易に外れるようなことがなく、しかも凸条部４Ａ，４Ｂが破損したような場合の取り替えが簡単に行なえる。
【００２３】
【発明の効果】
請求項１に係る発明の作業台によれば、天板上での作業中に、作業者の足裏が凸条部に当たると、その足裏の感触によって、作業床面における足の位置が妻側端部にあることを作業者自身が認識できるから、その妻側端部から足を踏み外すことがなくなり、作業の安全を確保できる。
【００２４】
請求項２に係る発明の作業台によれば、作業床面の妻側端部に設けた凸条部によって、妻側端部での踏み外し現象の発生を回避できると共に、桁側端部に設けた凸条部により、作業床面の桁側端部での踏み外し現象の発生も回避できて、より一層の作業の安全を確保できる。
【００２５】
請求項３に係る発明の作業台のように、凸条部が天板と一体に形成されたものからなる場合は、凸条部の取付作業が不要になるため、製作的に容易となる。
【００２６】
請求項４に係る発明の作業台のように、凸条部が天板と別体に形成され、天板の所要部に取り付けられたものからなる場合は、凸条部が破損したような時に、その凸条部を取り替えることができる利点がある。
【００２７】
請求項５に係る発明の作業台のように、凸条部を、凸条本体と断面略倒Ｔ字状の取付基部とからなるゴム状弾性体として、その取付基部を、天板に設けた断面略倒Ｔ字状の取付溝に嵌合して取り付けるようにすれば、取付作業が簡単容易であると共に、一旦取り付ければ、容易に外れることがなく、また作業者が凸条部に足を引っ掛けても、足指を傷めるようなことがない。また、凸条部が破損した場合の取り替えを簡単に行なうことができる。
【図面の簡単な説明】
【図１】（Ａ）は本発明に係る作業台の平面図、（Ｂ）は正面図、（Ｃ）
は側面図である。
【図２】図１の（Ａ）の矢印Ｘで示す部分の拡大図である。
【図３】図１の（Ｂ）の矢印Ｙで示す部分の拡大図である。
【図４】天板の妻側端部を示す拡大断面斜視図である。
【図５】作業床面の妻側端部及び桁側端部に凸条部を設けた天板の平面図
である。
【図６】図５のＺ−Ｚ線拡大断面図である。
【符号の説明】
１　　　　　天板
２　　　　　作業床面
３　　　　　支持脚
４Ａ　　　　妻側端部の凸条部
４Ｂ　　　　桁側端部の凸条部
９　　　　　凸条本体
１０　　　　取付基部
１１　　　　断面略倒Ｔ字状の取付溝
【図１】
2004019295.tif 000003
【図２】
2004019295.tif 000004
【図３】
2004019295.tif 000005
【図４】
2004019295.tif 000006
【図５】
2004019295.tif 000007
【図６】
2004019295.tif 000008